(57)【要約】【課題】本発明は、電気掃除機の吸込具に用いられる回転清掃体の改良に関するものである。【解決手段】円柱状のローターと、清掃ブラシとで構成された清掃体をブラシ挿入保持溝に挿入して形成された回転ローター体と、軸受体より成る回転清掃体を用いる電気掃除機用の吸込具において、回転清掃体の長手方向の回転中心軸芯から、ブラシ挿入保持溝の螺旋状の上手側である基台保持溝の左上壁面までの距離は、ブラシ挿入保持溝の螺旋状の下手側である基台保持溝の右上壁面の距離より小さく、ブラシ挿入保持溝の螺旋状の上手側である基台保持溝の左下壁面までの距離は、ブラシ挿入保持溝の螺旋状の下手側である基台保持溝の右下壁面の距離より小さくして、構成してある。【選択図】図７
2015198856.tif 000002
【特許請求の範囲】
【請求項１】
所定長を有し、その外周に等間隔で複数列の、上方にブラシ毛通過溝、下方に基台保持溝から成る凸状のブラシ挿入保持溝をその長手方向の端面から他端面までの間を螺旋状に形成した円柱状のローター、弾力性を有するシート状で半硬質材から成る基台と該基台に垂直状に一端が固定された多数のブラシ毛の集合体から成る清掃ブラシとで構成された清掃体を前記ブラシ挿入保持溝に挿入して形成された回転ローター体と、該回転ローター体をその両端で回転自在にそれぞれ支持する軸受体より成る回転清掃体を用いる電気掃除機用の吸込具において、前記回転清掃体の長手方向の回転中心軸芯から、前記ブラシ挿入保持溝の螺旋状の上手側である前記基台保持溝の左上壁面までの距離は、前記ブラシ挿入保持溝の螺旋状の下手側である前記基台保持溝の右上壁面の距離より小さく、前記ブラシ挿入保持溝の螺旋状の上手側である前記基台保持溝の左下壁面までの距離は、前記ブラシ挿入保持溝の螺旋状の下手側である前記基台保持溝の右下壁面の距離より小さくしたことを特徴とする電気掃除機用の吸込具。
【請求項２】
所定長を有し、その外周に等間隔で複数列の、上方にブラシ毛通過溝、下方に基台保持溝から成る凸状のブラシ挿入保持溝をその長手方向の端面から他端面までの間を螺旋状に形成した円柱状のローター、弾力性を有するシート状で半硬質材から成る基台と該基台に垂直状に一端が固定された多数のブラシ毛の集合体から成る清掃ブラシとで構成された清掃体を前記ブラシ挿入保持溝に挿入して形成された回転ローター体と、該回転ローター体をその両端で回転自在にそれぞれ支持する軸受体より成る回転清掃体を用いる電気掃除機用の吸込具において、前記基台の左上面乃至右下面に凸部を設けたことを特徴とする電気掃除機用の吸込具。
【発明の詳細な説明】
【技術分野】
【０００１】
本発明は、電気掃除機の吸込具に用いられる回転清掃体の改良に関するものである。
【背景技術】
【０００２】
電気掃除機の吸込具は、被清掃面すなわち板の間や畳、絨毯等に堆積した塵埃を効率よく清掃でき、かつ、組立性の良好なものが求められており、そのために、所定幅を有し、外周部に複数列の直線状の挿入溝を設けたローターを全幅に渡って所定角度捩ったり、あるいは、複数列の挿入溝を螺旋状に成形したりして、それぞれローターの端部から挿入溝に清掃ブラシを挿入し組立てられた回転清掃体を、電動機等の駆動体によりに回転させる構成の吸込具が開示されている。(例えば、特許文献１、特許文献２)
【先行技術文献】
【特許文献】
【０００３】
【特許文献１】特開昭６１−１５４６０７号公報
【特許文献２】特開平７−１７８０１６号公報
【発明の概要】
【発明が解決しようとする課題】
【０００４】
上記特許文献１、２では、ローターの製造方法が、射出成型と押出成形とで異なるものの、いずれも外周面にその軸長方向に沿って形成されている複数列の螺旋状のブラシ保持溝を有するローターに、清掃ブラシの一端を固着する基台から成る清掃体を、複数列のそれぞれのブラシ保持溝の一端から押しながら他端まで挿入して、組立が良好な回転ローター体を構成しており、被清掃面の塵埃を、回転しながら吸込具内に掃き上げることで、効率が良い清掃が出来ると共に、螺旋状に複数列有している清掃ブラシのいずれかは、常時被清掃面に接触することで被清掃面との接触音も緩和され静音化にも役立つ等の利点を有するが、基台とブラシ保持溝の形状がほぼ同形で隙間なく形成されているために、清掃ブラシが、ブラシ保持溝により強制的に螺旋状に捩られながら挿入されることで、両者間には、大きな摩擦力が働き、スムースに挿入ができなく、大きな挿入力が必要となり、挿入が完了するまでに、多くの時間がかかり、その組立性に多くの労力が生じてしまう。また、基台も挿入途中で屈曲しないような硬度も必要となるが、硬すぎると、螺旋状に捩られなくなることが生じるので、硬度の調整が難しい等の課題が生じる。
【０００５】
このような、課題を解決する為には、基台とブラシ保持溝の間に隙間を広く形成し、小さな挿入力で組み立てられるようにする必要があるが、この場合には、図１１に示すように、基台２０もブラシ保持溝９内でローター８が螺旋状に形成されている捩り方向Ｔに隙間ＳＫが有しているために傾斜してしまい、仮想の回転中心軸芯Ｃに対し、清掃ブラシ２１も傾斜角度Ｋとなる。当然、隙間ＳＫが大きければ大きい程、傾斜角度Ｋも大きくなる。これにより、図１２に示すように、清掃時において清掃ブラシ２１は、その一部のみ、被清掃面Ｚに回転接触する事となり、長期間使用していると、その接触箇所のみ摩耗が生じ、清掃効率の低下を余儀なくされたり、新品との交換作業が必要となる等の課題が生じる。また、螺旋状に形成されるブラシ保持溝９の螺旋角度が大きい程、基台２０には捩じれ力が大きく働き、傾斜角度Ｋも大きくなり易くなる。Ｒは、回転ローター体２３の回転方向を示す。ＨＭは基台保持溝１１の高さ、Ｈ２は基台２０の高さを示し、基台保持溝１１の高さＨＭは、基台２０の高さＨ２より大きく、その差を隙間ＳＫとする。また、基台とブラシ保持溝の間に隙間を広く形成した場合には、上記以外にも、回転ローター体の回転時に、被清掃面から清掃体に加わる力により、清掃体は清掃ブラシ及び基台が、回転方向の下手側にたいして傾斜する為、図１２に示すように、清掃時において清掃ブラシ２１は、その一部のみ、被清掃面Ｚに回転接触する事となり、長期間使用していると、その接触箇所のみ摩耗が生じ、清掃効率の低下を余儀なくされたり、新品との交換作業が必要となる等の課題が生じる課題があった。
【課題を解決するための手段】
【０００６】
上記従来の課題を解決するために、請求項１の発明は、所定長を有し、その外周に等間隔で複数列の、上方にブラシ毛通過溝、下方に基台保持溝から成る凸状のブラシ挿入保持溝をその長手方向の端面から他端面までの間を螺旋状に形成した円柱状のローター、弾力性を有するシート状で半硬質材から成る基台と該基台に垂直状に一端が固定された多数のブラシ毛の集合体から成る清掃ブラシとで構成された清掃体を前記ブラシ挿入保持溝に挿入して形成された回転ローター体と、該回転ローター体をその両端で回転自在にそれぞれ支持する軸受体より成る回転清掃体を用いる電気掃除機用の吸込具において、前記回転清掃体の長手方向の回転中心軸芯から、前記ブラシ挿入保持溝の螺旋状の上手側である前記基台保持溝の左上壁面までの距離は、前記ブラシ挿入保持溝の螺旋状の下手側である前記基台保持溝の右上壁面の距離より小さく、前記ブラシ挿入保持溝の螺旋状の上手側である前記基台保持溝の左下壁面までの距離は、前記ブラシ挿入保持溝の螺旋状の下手側である前記基台保持溝の右下壁面の距離より小さくしたことを特徴としている。
【０００７】
請求項２の発明は、所定長を有し、その外周に等間隔で複数列の、上方にブラシ毛通過溝、下方に基台保持溝から成る凸状のブラシ挿入保持溝をその長手方向の端面から他端面までの間を螺旋状に形成した円柱状のローター、弾力性を有するシート状で半硬質材から成る基台と該基台に垂直状に一端が固定された多数のブラシ毛の集合体から成る清掃ブラシとで構成された清掃体を前記ブラシ挿入保持溝に挿入して形成された回転ローター体と、該回転ローター体をその両端で回転自在にそれぞれ支持する軸受体より成る回転清掃体を用いる電気掃除機用の吸込具において、前記基台の左上面乃至右下面に突部を設けたことを特徴としている。
【発明の効果】
【０００８】
請求項１の発明では、回転清掃体の長手方向の回転中心軸芯から、ブラシ挿入保持溝の螺旋状の上手側である基台保持溝の左上壁面までの距離を、ブラシ挿入保持溝の螺旋状の下手側である前記基台保持溝の右上壁面の距離より小さく、さらに、前記ブラシ挿入保持溝の螺旋状の上手側である前記基台保持溝の左下壁面までの距離は、前記ブラシ挿入保持溝の螺旋状の下手側である前記基台保持溝の右下壁面の距離より小さくしたことで、清掃体は、右上がりの斜め状態すなわち、基台の上下に隙間を有しながら、楽にブラシ挿入保持溝に、その端面から挿入することができる。挿入を続けると、清掃体は徐々に左上壁面と右下壁面とに案内されながら、かつ傾斜するのを阻害させられながら、強制的に螺旋状に沿って捩られて挿入作業が終了する。これにより、清掃体は、回転清掃体の回転中心軸芯に垂直にローターに保持されるので、清掃体の先端部は、傾斜することなく、垂直状態で被清掃面に、その先端部全体が回転接触するので、摩耗も少なく長寿命化に役立つことは勿論、清掃体の先端部全体で重いような塵埃も掃き上げることができる。また、左上壁面に下端が半円状の左リブ、乃至右下壁面に上端が半円状の右リブを形成することで、基台の挿入時において、基台と前記各リブとの接触抵抗は、小さくでき、挿入力を小さくできると共に、基台と、左上壁面との接触抵抗による、基台の左上表面の傷も付きにくくすることができる。さらにまた、回転ローター体の回転時に、被清掃面から清掃体に加わる力により、清掃体は清掃ブラシ及び基台が、回転方向の下手側にたいして傾斜するが、回転清掃体の長手方向の回転中心軸芯から、ブラシ挿入保持溝の螺旋状の上手側である基台保持溝の左上壁面までの距離を、ブラシ挿入保持溝の螺旋状の下手側である前記基台保持溝の右上壁面の距離より小さく、さらに、前記ブラシ挿入保持溝の螺旋状の上手側である前記基台保持溝の左下壁面までの距離は、前記ブラシ挿入保持溝の螺旋状の下手側である前記基台保持溝の右下壁面の距離より小さくしたことにより、回転時においても、清掃体を回転清掃体の長手方向の回転中心軸芯の周方向にたいしてまっすぐに保持させる事ができる。
【０００９】
請求項２の発明では、基台の左上面乃至右下面に凸部を設けたことで、螺旋状に形成されたブラシ挿入保持溝に、基台をその端面から徐々に挿入されるが、螺旋状に形成されるブラシ挿入保持溝の上手側である基台保持溝の左上壁面に当接する基台の右上面に形成した突部が、捩れを阻害し、清掃体の傾斜を防止することができる。また、基台の右下面に突部を設けることで、この突部は、螺旋状に形成されるブラシ挿入保持溝の下手側である基台保持溝の右下壁面に当接することで、その捩じれは阻害され、清掃体は、回転清掃体の回転中心軸芯に垂直にローターに保持される。勿論、突部は、基台の左上面と右下面とに設けてもよいものである。
【図面の簡単な説明】
【００１０】
【図１】本発明に係る回転清掃体の正面図である。
【図２】本発明に係るローターの一部切り欠き斜視図である。
【図３】本発明に係る図２に於ける一部切り欠き断面ＡＡである。
【図４】本発明に係る清掃体の側面図である。
【図５】本発明に係る清掃体をローターに挿入する要部拡大の要領図である。
【図６】本発明に係る清掃体をローターに挿入し始めた状態を示す要部拡大断面図である。
【図７】本発明に係る清掃体がローターに保持された状態を示す要部拡大断面図である。
【図８】本発明に係る電気掃除機用の吸込具の、上面を開口した平面図である。
【図９】本発明に係る他の実施例１を示す、清掃体がローターに保持された状態を示す要部拡大断面図である。
【図１０】本発明に係る他の実施例２を示す清掃体の側面図である。
【図１１】従来例における清掃体がローターに保持された状態を示す説明用の要部拡大断面図である。
【図１２】従来例における清掃体が被清掃面に接触した状態を示す説明用の要部拡大断面図である。
【発明を実施するための形態】
【００１１】
以下に、本発明の一実施の形態の電気掃除機用の吸込具の構成を、図1乃至図８を用いて説明する。
【００１２】
吸込具１は、前側の底面に幅広の吸込口２を、後端の中央に電気掃除機本体(図示せず)に接続される接続管３をそれぞれ有する本体ケース４に、吸込口２から突出して、被清掃面Ｚに堆積する塵埃を回転しながら本体ケース４内に掃き上げる回転清掃体５と該回転清掃体５を所定の駆動力で駆動させる電動機より成る駆動体６と、該駆動体６の駆動力を所定の回転数で回転清掃体５に伝達する歯車(図示せず)やベルトから成る伝達体７がそれぞれ収納されて構成されている。
【００１３】
所定長を有する略円柱状のローター８の外周には、等間隔で４列の凸状のブラシ挿入保持溝９が、全幅に渡って、同形状で螺旋状に設けられ、一端から多端までの捩じれＴの角度は約９０度である。捩じれＴ方向は、図２において、左側から右側である。ブラシ挿入保持溝９は上方にブラシ毛通過溝１０、下方に基台保持溝１１から成り、基台保持溝１１の螺旋状に捩じれＴ方向の上手側である左上壁面１２には、下端が半円状の上リブ１３が全長に渡り設けられて、ローター８の長軸方向の回転中心軸芯Ｃから上リブ１３の下端までの距離Ｌ１は、螺旋状に捩じれＴ方向の下手側である右上壁面１４までの距離Ｌ２より、小さくなっている。また、基台保持溝１１の螺旋状に捩じれＴの下手側である右下壁面１５には、上端が半円状の下リブ１６が全長に渡り設けられて、ローター８の長軸方向の回転中心軸芯Ｃから下リブ１６の上端までの距離Ｌ１２は、螺旋状に捩じれＴの上手側である左下壁面１７までの距離Ｌ１１より、小さくなっている。ＨＭは、基台保持溝１１の高さ寸法であり、後述する基台２０の高さ寸法Ｈ２より、大きく形成されている。ＳＫは隙間であり、基台保持溝１１の高さＨＭと基台２０の高さ寸法Ｈ２との寸法差である。クッション用隙間Ｓは、距離Ｌ１２と距離Ｌ１１との寸法差及び、距離Ｌ２と距離Ｌ１の寸法差であり、この寸法差は同じである。すなわち、隙間ＳＫは、クッション用隙間Ｓの２倍となる。
【００１４】
１８は、ローター８の中央部で、全幅に渡って設けられた長穴である。Ｃは、回転清掃体５の長軸方向の仮想の回転中心軸芯である。なお、略円柱状のローター８の外周には、等角度で４列の凸状のブラシ挿入保持溝９が設けられているが、この成形方法及び材質等は、上記特許文献１、２のいずれでも良く、特に限定されるものではない。清掃体１９は、弾力性を有するシート状で半硬質材から成る基台２０と、該基台２０に垂直状に一端が固定された多数のブラシ毛の集合体から成る清掃ブラシ２１とで形成される。清掃体１９はブラシ挿入保持溝９の端面から他端面まで挿入され、その両端をそれぞれ側板２２で、ブラシ挿入保持溝９に保持されていて、該清掃体１９とローター８及び側板２２により、回転ローター体２３が構成される。
【００１５】
なお、基台２０の高さＨ２寸法は、前記距離Ｌ１と前記距離Ｌ１２との寸法差の寸法Ｈ１とほぼ同寸法に形成してある。軸受体２４は回転ローター体２３の両側に設けられ、回転ローター体２３を回転自在に支持する。回転清掃体５は、回転ローター体２３と軸受体２４とで構成され、必要に応じて、伝達体７が設けられる。図４に示すＴ１は、清掃体１９をブラシ挿入保持溝９に挿入していくと、ブラシ挿入保持溝９により強制的に捩られる方向を示し、その方向は、ブラシ挿入保持溝９の捩り方向Ｔと同じとなる。すなわち、基台２０の左側上面は上リブ１３に、基台２０の右側下面は下リブ１６に、それぞれ強力に捩られ当接することとなる。また、Ｔ１と逆方向に回転ローター体２３を回転させた場合には、清掃体１９は、被清掃面Ｚから清掃体１９に加わる力により、Ｔ１の回転方向に傾斜する力が働くが、基台２０の左側上面は上リブ１３に、基台２０の右側下面は下リブ１６に、それぞれ当接するので、清掃体１９を回転中心軸芯Ｃの周方向にたいしてまっすぐに保持させる事ができる。
【００１６】
この発明は、このように構成されており、清掃体１９をローター８の端面から挿入組立する場合は、図５及び図６に示すように、ブラシ挿入溝９に清掃体１９を、基台２０の右上面が上方になるよう傾斜して挿入することで、基台２０と基台保持溝１１との間には、隙間ＳＫがあり、接触抵抗が少なく、小さな挿入力でスムースに挿入することができる。基台２０は、挿入が進むにつれ、螺旋状に形成された基台保持溝１１により徐々に捩られ、図７に示すよう、基台２０は、その上面は上リブ１３に、下面は下リブ１６に強力に当接するが、その捩り力は、これら上リブ１３と下リブ１６に阻害され、清掃体１９は、ローター８の回転中心軸芯Ｃに対し、垂直に収納される。この状態で、側板２２と軸受体２４及び伝達体７を取付けて回転清掃体５を構成し、吸込具１に収納する。被清掃面Ｚ上にて、吸込具１に収納されている駆動体６を運転することで、回転清掃体５は回転し、被清掃面Ｚの表面部に、ほぼ垂直状態、すなわち清掃ブラシ２１の先端部のほぼ全面が回転接触しながら、塵埃を吸込具１内に掃き上げることができる。
【００１７】
また、回転清掃体５が回転中に、異常な外力すなわち、基台２０が基台保持溝１１に捩じられて収納されている力より強い力が、清掃体１９に加わった時、例えば、敷居等の段差等に接触した場合、基台２０は、その左側がクッション用隙間Ｓだけ下降し、その異常な外力による衝突力を緩和し、清掃体１９の変形等を防止することができる。さらに、基台保持溝１１の高さ寸法ＨＭが、大きいほど、基台２０は基台保持溝１１に容易に傾斜挿入できると共に、ローター８にとって、ブラシ挿入保持溝９が大きくなると、軽量化の効果も生じ、駆動体６の負荷低減にもなるものである。もちろん、クッション用隙間Ｓも大きくなり、清掃体１９の変形等をさらに防止できる。なお、寸法Ｈ１は、回転中心軸芯Ｃから、上リブ１３および下リブ１６までの寸法差であるが、略半円状にそれぞれ形成された上リブ１３および下リブ１６の形状は、これに限定するものでなく、要は、清掃体１９がブラシ挿入溝９に斜め状態で、挿入されればよいものである。
【００１８】
また、本発明は、左上壁面１２には、下端が半円状の上リブ１３が、右下壁面１５には、上端が半円状の下リブ１６が、ローター８の全長に渡り設けられてあるが、基台２０の材質として、硬質樹脂等の硬い材質を使用する場合には、基台２０を、捩り方向Ｔに捩じられた基台保持溝１１に挿入した時には、基台２０は、ローター８の全長の略中心部を境に、基台２０の左上部から右上部に渡って、徐変して押し付けられる。この場合には、ローター８の全長の略中心部を境に、上リブ１３と下リブ１６の形成を逆にする形態、換言すればローター８の略中心部を境に、上リブ１３を右上壁面、下リブ１６を左下壁面に形成する形態も採用できる。また、基台２０の材質として、硬質樹脂等の硬い材質を使用する場合には、他の形態として、ローター８の全長の略中心部を境に、互いに逆方向に捩りを加え、かつ、左上壁面１２に上リブ１３が、右下壁面１５に下リブ１６が、ローター８の全長に渡り設けられてある形態を採用しても、前記形態と同様の効果を有し、図７の如く、ローター８の回転中心軸芯Ｃに対し、垂直に収納される。
【００１９】
図９は、本発明に関わる他の実施例１を示し、清掃体１９がローター８１に保持された状態を示す要部拡大断面図である。ローター８１の外周には、凸状のブラシ挿入保持溝９１が、全幅に渡って、同形状で螺旋状に設けられ、一端から他多端までの捩じれＴの角度は約９０度である。捩じれＴの方向は、図９において、左側から右側である。ブラシ挿入保持溝９１は上方にブラシ毛通過溝１０１、下方に基台保持溝１１１から成り、基台保持溝１１１の螺旋状に捩じれＴ方向の下手側である右下壁面１５１には、上端が半円状の下リブ１６１が全長に渡り設けられている。ＨＭは、基台保持溝１１１の高さ寸法である。この状態で、清掃体１９をブラシ挿入保持溝９１内に斜めに挿入し、徐々に押し込んでいくと、基台２０も徐々に捩じられるが、下リブ１６１により、捩じれは阻害され、清掃体１９は、傾斜することなく、回転中心軸芯Ｃに対し、垂直に収納される。すなわち、基台保持溝１１１に下リブ１６１を設けても、本発明と同効果を有するものである。
【００２０】
図１０は、本発明に関わる他の実施例２を示し、清掃体１９１を構成する基台２０１の左上面に基台上リブ２１１、右下面に基台下リブ２１２をそれぞれ設けることで、基台保持溝１１に上リブ１３および下リブ１６を設けることなく、本発明と同効果を有することができる。もちろん、基台２０１に基台下リブ２１２のみを設ければ、本発明に係る他の実施例１と同効果を有することができる。なお、本発明の主旨を逸脱しない範囲で、さまざまな実施の形態をとることができるものである。
【産業上の利用可能性】
【００２１】
本発明の電気掃除機用の吸込み具は、被清掃面上の塵埃を、回転しながら掃き上げるための回転清掃体として、広く好適に使用することができる。
【符号の説明】
【００２２】
１  吸込具
２  吸込口
３  接続管
４  本体ケース
５  回転清掃体
６  駆動体
７  伝達体
８、８１  ローター
９、９１  ブラシ挿入保持溝
１０、１０１  ブラシ毛通過溝
１１、１１１  基台保持溝
１２  左上壁面
１３  上リブ
１４  右上壁面
１５、１５１  右下壁面
１６、１６１  下リブ
１７  左下壁面
１８  長穴
１９、１９１  清掃体
２０、２０１  基台
２１  清掃ブラシ
２２  側板
２３  回転ローター体
２４  軸受体
２１１  基台上リブ
２１２  基台下リブ
Ｃ  回転中心軸芯
Ｋ  傾斜角度
Ｈ１、ＨＭ  基台保持溝の高さ寸法
Ｈ２  基台の高さ寸法
Ｌ１  回転中心軸芯Ｃから上リブ１３の下端までの距離
Ｌ２  回転中心軸芯Ｃから右上壁面１４までの距離
Ｌ１１  回転中心軸芯Ｃから左下壁面１７までの距離
Ｌ１２  回転中心軸芯Ｃから下リブ１６の上端までの距離
Ｓ  クッション用隙間
ＳＫ  隙間
Ｔ、Ｔ１  捩じれ方向
Ｚ  被清掃面
【図１】
2015198856.tif 000003
【図２】
2015198856.tif 000004
【図３】
2015198856.tif 000005
【図４】
2015198856.tif 000006
【図５】
2015198856.tif 000007
【図６】
2015198856.tif 000008
【図７】
2015198856.tif 000009
【図８】
2015198856.tif 000010
【図９】
2015198856.tif 000011
【図１０】
2015198856.tif 000012
【図１１】
2015198856.tif 000013
【図１２】
2015198856.tif 000014